(57)【要約】【課題】装飾性に優れ、しかも、用途範囲を広くすることが可能であるとともに構成が簡素で、製造し易く、経済的にも優れた製品の提供を可能とする。【解決手段】チェーンを構成する環体素子１、１ａの直交連鎖部８、８ａを避け、該連鎖の部分を中心として環体素子１の正面部分にあたる上下を連結方向にダイヤカットすることにより、環体素子１、１ａには、カット面２、カット面３、カット面２ａ、カット面３ａを、背面部分の上下をダイヤカットすることにより、カット面４、カット面５、カット面４ａ、カット面５ａが設けられ、それにより該カット面より凸の直交連鎖部８、８ａが設けられ、該環体素子の平面部にあたる部分を連結方向にダイヤカットしてカット面６を、９０度回転してカット面６ａを、９０度回転してダイヤカットしてカット面７を、更に９０度回転してカット面７ａを設けてなるものである。【選択図】図３
0003149441.tif 000002
【実用新案登録請求の範囲】
【請求項１】
ダイヤカットされたカット面を有する多数の環体素子を互いに直交連鎖加工して構成された装飾用チェーンであって、
前記装飾用チェーンは、
チェーンを構成する多数の環体素子の直交連鎖の部分を避け、
該連鎖の部分を中心として環体素子の正面部分の上下と、背面部分の上下を連結方向にダイヤカットすることにより、４面のカット面と該カット面より凸の直交連鎖部とを設け、
該環体素子の平面部、底面部をも連結方向にダイヤカットして２面のカット面を設けて構成したことを特徴とした装身用チェーン。
【請求項２】
ダイヤカットされたカット面を有する多数の環体素子を互いに直交連鎖加工したチェーンに捩じり変形させた装飾用チェーンであって、
前記装飾用チェーンは、
チェーンを構成する多数の環体素子の直交連鎖の部分を避け、
該連鎖の部分を中心として環体素子の正面部分の上下と、背面部分の上下を連結方向にダイヤカットすることにより、４面のカット面と該カット面より凸の直交連鎖部とを設け、
該環体素子の平面部、底面部をも連結方向にダイヤカットして２面のカット面を設けるとともに該チェーンの連結方向に対して前記直交連鎖部を中心にして環体素子の対毎に正面、背面方向の逆向きに捩じることでカット面部を捩り変形させた状態に構成したことを特徴とする装身用チェーン。
【考案の詳細な説明】
【技術分野】
【０００１】
本考案は、ネックレス、ブレスレット等の装身用チェーンとして用いられる装飾チェーンの改良に関するものである。
【背景技術】
【０００２】
装身用チェーンは、環体を連続させるように結合させた小豆チェーンを初めとして、喜平、スクリュー、ベネチアン、その他デザインチェーンなど種々あるが、その多くはカット、プレス、捩じり等のいずれか又は二種以上の加工を行い装身用チェーンとして製作されているのが一般的である。
【０００３】
例えば、線材で形成した環体を複数連結することにより連続して形成されたチェーン体と、このチェーン体に撚りを加えることにより前記環体を扁平状にすると共に前記チェーン体の上面及び底面の幅方向中間部にチェーン体の長手方向に沿ってそれぞれ形成された窪み部と、を設けたアクセサリー用喜平チェーンであって、前記チェーン体の上面両側及び底面両側にチェーン体の長手方向に沿ってそれぞれ形成された第１傾斜カット面と、前記チェーン体の上面及び底面に形成された窪み部の両側でチェーン体の長手方向に沿って形成された第２傾斜カット面と、を有してなるアクセサリー用喜平チェーンがある（例えば特許文献１参照。）。
【０００４】
また、輪体を連続させてなる貴金属製チェーンを長手方向から圧縮し、この圧縮体をさらにハンマリング機で前記長手方向と直交する方向から周面に圧力をかけて圧縮して内部の空隙を潰したことを特徴とする装身具用チェーン（例えば特許文献２参照。）。
【０００５】
また、ネックレスやブレスレットやアンクレットの如き装身用チェーン等の構成部材となる装飾鎖素子であって、適宜間隔を隔てて配すると共にチェーンの連結方向に沿うように配する一対の主片と、一対の主片の一端相互と他端相互とを連結する一対の連結片とで略矩形短筒状を呈する鎖素子を形成し、鎖素子の主片夫々の外表面に適宜装飾切欠溝を設けると共に、チェーンの連結方向に対して直交する面内に於いて一対の連結片を相互に逆向きに捩るようにして一対の主片を捩り変形させた状態に構成させた装身用チェーン等に於ける装飾鎖素子がある（例えば特許文献３参照。）。
【０００６】
また、光沢表面を有する多数のリング素体を互いに直交連鎖加工して作った装飾用チェーンにおいて、チェーンを構成する多数のリング素体の直交連鎖部分を避けてリング素体の大部分をプレス加工して対をなす扁平部と交差膨大部とを形成し、これら交差膨大部を中心として前記扁平部の両側を各対毎に所定角度ずつ表裏方向に捻じることで前記多数のリング素体の各扁平部に歪曲光沢面を形成してなるチェーンがある（例えば特許文献４参照。）。
【０００７】
しかしながら、前記特許文献１と２に示すような二次加工を施すチェーンにあっては、チェーンの幅が広くなるためにボリュームアップとなり、用途範囲に乏しい欠点があった。
【０００８】
また、前記特許文献３に示す装身用チェーンは略矩形短筒状を呈する鎖素子を連結して構成しているために製作工数がかかり、それを二次加工しているためにコスト的に高くなる欠点があった。
【０００９】
また、前記特許文献４に示す装飾用チェーンは、プレス加工して扁平部を設けているためにプレス型のメンテナンスに工数がかかる割にはダイヤカット面より鏡面が劣る欠点がある。
【先行技術文献】
【特許文献】
【００１０】
【特許文献１】登録実用新案第３０７９８６１号公報
【特許文献２】特開平１０−３３２２２号公報
【特許文献３】登録実用新案第３１１１６４３号公報
【特許文献４】実開平０４−９６２１２号公報
【考案の概要】
【考案が解決しようとする課題】
【００１１】
解決しようとする問題点は、前記特許文献の欠点を解消すべく、装飾性に優れ、しかも、用途範囲を広くすることが可能であるとともに構成が簡素で、製造し易く、経済的にも優れた製品の提供をしようとするものである。
【課題を解決するための手段】
【００１２】
前記目的を達成するために、請求項１に係るダイヤカットされたカット面を有する多数の環体素子を互いに直交連鎖加工して構成された装飾用チェーンにあっては、チェーンを構成する多数の環体素子の直交連鎖の部分を避け、該連鎖の部分を中心として環体素子の正面部分の上下と、背面部分の上下を連結方向にダイヤカットすることにより、４面のカット面と該カット面より凸の直交連鎖部とを設け、該環体素子の平面部、底面部をも連結方向にダイヤカットして２面のカット面を設けて構成した。
【００１３】
また、請求項２に係るダイヤカットされたカット面を有する多数の環体素子を互いに直交連鎖加工して構成された装飾用チェーンにあっては、チェーンを構成する多数の環体素子の直交連鎖の部分を避け、該連鎖の部分を中心として環体素子の正面部分の上下と、背面部分の上下を連結方向にダイヤカットすることにより、４面のカットと該カット面より凸の直交連鎖部とを設け、該環体素子の平面部、底面部をも連結方向にダイヤカットして２面のカット面を設け、該チェーンの連結方向に対して前記直交連鎖部を中心にして環体素子の対毎に正面、背面方向の逆向きに捩じることでカット面部を捩り変形させた状態に構成してなるものである。
【考案の効果】
【００１４】
本考案の請求項１に記載の装身用チェーンは、直交連鎖部を中心として環体素子の正面部分の上下２面と、背面部分の上下２面と、平面部、底面部の２面の合計６面のダイヤカット面を有することにより、多数の反射鏡面にてあらゆる方向からみてもキラキラと輝いて美しく見える。
【００１５】
また、請求項２に記載の装身用チェーンは、直交連鎖部を中心として環体素子の正面部分の上下２面と、背面部分の上下２面と、平面部、底面部の２面の合計６面のダイヤカット面を有したチェーンの連結方向に対して前記直交連鎖部を中心にして環体素子を対毎に正面、背面方向の逆向きに捩じることでカット面部を捩り変形させることで、ダイヤカットの歪曲状の反射鏡面によって高級感のある輝きを得ることが可能となった。
【００１６】
さらに、環体素子を形成させる線径の寸法規格範囲の自由度が大きいため、構成が簡素で、製造し易く、用途範囲を広くすることが可能で経済的にも優れた商品となった。
【図面の簡単な説明】
【００１７】
【図１】図１は多数の環体素子を互いに直交連鎖加工して構成したチェーンを切り欠いて示した説明図である。
【図２】図２は環体素子を互いに直交連鎖加工したことを切り欠いて示した正面図と右側面図である。
【図３】図３は多数の環体素子を互いに直交連鎖加工して構成したチェーンにダイヤカットを施した装身用チェーンを切り欠いて示した正面図と右側面図である。
【図４】図４は多数の環体素子を互いに直交連鎖加工して構成したチェーンにダイヤカットを施し状態を切り欠いて示した正面図である。
【図５】図５は図４の背面図である。
【図６】図６は多数の環体素子を互いに直交連鎖加工して構成したチェーンにダイヤカットを施した後、各環体素子を対毎に正面、背面方向の逆向きに捩じった状態を切り欠いて示した説明図である。
【考案を実施するための形態】
【００１８】
装飾性に優れ、しかも、用途範囲を広くすることが可能であるとともに構成が簡素で、製造し易く、経済的にも優れた製品の提供をしようとするという目的を、以下において、実現した実施例を図面に基づいて詳細に説明する。
ものである。
【実施例】
【００１９】
図１は、丸線材で形成した環体素子１、１ａ、１ｂ、１ｃを互いに直交連鎖加工して構成した本考案の基礎となるチェーンを切り欠いて図示した。
【００２０】
図２は、図１を基に環体素子１、１ａを互いに直交連鎖加工した（ａ）は正面図、（ｂ）は右側面図を示したものである。
【００２１】
図３は、図２で示した丸線材で形成した環体素子１、１ａを互いに直交連鎖加工して構成したチェーンをダイヤカットした本考案の請求項１に係わる装身用チェーン１０を切り欠いて（ａ）は正面図、（ｂ）は右側面図を示し、
チェーンを構成する環体素子１、１ａの直交連鎖部８、８ａを避け、該連鎖の部分を中心として環体素子１の正面部分にあたる上下を連結方向にダイヤカットすることにより、環体素子１、１ａには、カット面２、カット面３、カット面２ａ、カット面３ａを、背面部分にあたる上下をダイヤカットすることにより、カット面４、カット面５、カット面４ａ、カット面５ａが設けられ、それにより該カット面より凸の直交連鎖部８、８ａが設けられ、そして、該環体素子の平面部にあたる部分を連結方向にダイヤカットしてカット面６を、９０度回転してカット面６ａを、９０度回転してダイヤカットしてカット面７を（図示では底面部分）、更に９０度回転してカット面７ａ設けた状態を示したものである。
【００２２】
図４は、丸線材で形成した環体素子を互いに直交連鎖加工して構成したチェーンにダイヤカットを施し切り欠いて示した正面図であり、例えば環体素子２１のみを用いて構成の説明をすると、
チェーンを構成する環体素子の直交連鎖の部分を避け、該連鎖の部分を中心として環体素子２１の正面部分の上下をダイヤカットすることにより、カット面２２、カット面２３を、それにより該カット面より凸の直交連鎖部２８が設けられ、該環体素子の平面部をダイヤカットしてカット面２６を、底面部もダイヤカットしてカット面２７を設けた環体素子２１を環体素子２１ａと環体素子２１ｂとして直交連鎖した状態を示したものである。
【００２３】
図５は、図４の背面図であり、例えば環体素子２１のみを用いて構成の説明をすると、
チェーンを構成する環体素子の直交連鎖の部分を避け、該連鎖の部分を中心として環体素子２１の背面部分の上下をダイヤカットすることにより、カット面２４、カット面２５を、それにより該カット面より凸の直交連鎖部２８が設けられ、そして、該環体素子の平面部をダイヤカットしてカット面２６を、底面部もダイヤカットしてカット面２７を設けた環体素子２１を環体素子２１ａと環体素子２１ｂとして直交連鎖した状態を示したものである。
【００２４】
図６は、図５に示す環体素子２１、２１ａ、２１ｂを直交連鎖した方向に対して、前記直交連鎖部２８、２８ａ、２８ｂを中心にして環体素子２１、２１ａ、２１ｂを対毎に相互に逆向きに（約１０度、正面、背面方向）に捩じることでカット面部を捩り変形させた状態を示し、ダイヤカットの歪曲状の反射鏡面によって高級感のある輝きを得ることができた。
【符号の説明】
【００２５】
１  環体素子
２  カット面
３  カット面  
４  カット面  
５  カット面
６  カット面
７  カット面
８  直交連鎖部
１０  装身用チェーン
２０  装身用チェーン
２１  環体素子
２２  カット面
２３  カット面
２４  カット面
２５  カット面  
２６  カット面
２７  カット面
２８  直交連鎖部
【図１】
0003149441.tif 000003
【図２】
0003149441.tif 000004
【図３】
0003149441.tif 000005
【図４】
0003149441.tif 000006
【図５】
0003149441.tif 000007
【図６】
0003149441.tif 000008